(57)【要約】      （修正有）【課題】保護継電器の保守・点検終了後、試験用端子台の一対の端子部を絶縁保護しつつ、該一対の端子部の対地間電圧を計測して、遮断器の誤動作による負荷側の停電を防止できる試験用端子台を提供する。【解決手段】第１端子部１０および第２端子部１１の一端部１０a、１１a間に短絡プラグ２が接続された通常時には、計測器のプローブに電気的に接続するための電気接続部１０３a、１１３aと、カバー３に形成された計測器のプローブを挿通するための第１の測定用貫通孔３０との位置が線対称または点対称の位置関係になるように、カバー３を正方向に取り付け、前記一端部１０a、１１a間から短絡プラグ２を取り外した電圧測定時には、電気接続部１０３a、１１３aと第１の測定用貫通孔３０との位置が一致する位置関係になるように、カバー３を逆方向に取り付ける。【選択図】図１
2014033574.tif 000002
【特許請求の範囲】
【請求項１】
一端部が突出するように、基板に固定される一対の導電性を有する端子部と、
一対の端子部の一端部にそれぞれ螺合して、前記一端部間に短絡プラグを電気的に接続する締結部材と、
前記一端部にそれぞれ固着されて、前記一端部を絶縁保護する保護部材と、
前記一端部、短絡プラグ、締結部材、および保護部材を覆うカバーとを備え、
前記一端部間から短絡プラグが取り外された電圧測定時において、前記一端部と、前記一端部の対地間電圧を測定する計測器のプローブとを直接的または間接的に電気的に接続するための電気接続部が設けられる一方、カバーに計測器のプローブが挿通される第１の測定用貫通孔が形成され、
さらに、前記一端部間に短絡プラグが接続された通常時には、電気接続部と第１の測定用貫通孔との位置が線対称または点対称の位置関係になるように、カバーが正方向に取り付けられ、かつ、前記一端部間から短絡プラグが取り外された電圧測定時には、電気接続部と第１の測定用貫通孔との位置が一致する位置関係になるように、カバーが逆方向に取り付けられることを特徴とする試験用端子台。
【請求項２】
前記電気接続部は、前記一端部の一部または前記締結部材の一部が露出するように、前記保護部材に形成される第２の測定用貫通孔であることを特徴とする請求項１に記載の試験用端子台。
【請求項３】
一方の端子部の一端部は、外径が小さく、他方の端子部の一端部は、外径が大きく形成される一方、前記短絡プラグの両端部には、それぞれの前記一端部の外径の大きさに応じた内径を有する係止凹部が形成され、さらに、短絡プラグの一方の端部が幅小に形成されるとともに、他方の端部が幅大に形成されることを特徴とする請求項１または２に記載の試験用端子台。
【請求項４】
前記通常時において、カバーが逆方向に取り付けられようとする場合、幅大の短絡プラグの他方の端部に当接するように、カバーの内面に凸部が形成されることを特徴とする請求項３に記載の試験用端子台。
【請求項５】
前記第２の測定用貫通孔が雌ねじで構成される一方、該雌ねじに螺合するように、計測器のプローブが雄ねじで構成されることを特徴とする請求項２乃至４のいずれか１項に記載の試験用端子台。
【発明の詳細な説明】
【技術分野】
【０００１】
本発明は、例えば母線の各相に配置される保護継電器を備えた保護継電器装置盤に取り付けられる試験用端子台に関する。
【背景技術】
【０００２】
一般に、送配電用の電気系統における事故検出を目的とする保護制御装置Ｃは、例えば、図６に示すように、保護継電器装置盤Ｂ、変成器６０、変流器６１、遮断器６２を備えている。そして、供給側電路（母線）６３に供給される電力は、接続点Ａから負荷側電路（送電線）６４を介して負荷側機器６５に供給される。負荷側電路６４には、保護継電器装置盤Ｂに設けられた引外しコイル（以下、トリップコイルという）６６に流れる電流によって開動作する前記遮断器６２が設けられている。また、供給側電路６３には、供給側電路６３に印加される電圧を計測するための前記変成器６０が設けられており、その電圧データが保護継電器装置盤Ｂの交流入力部６７を経て保護継電器６８に入力される。また、負荷側電路６４には、該負荷側電路６４に流れる電流を計測するための前記変流器６１が設けられており、その電流データが保護継電器装置盤Ｂの交流入力部６７を経て保護継電器６８に入力される。
【０００３】
保護継電器装置盤Ｂは、配電盤室に設置されており、例えば、図７に示すように、前面板（基板）Ｐの下部に複数の保護継電器（または計器）６８，…が並列されている。そして、保護継電器６８，…の上方に、保護継電器（または計器）６８，…を操作する操作スイッチ７０，…が配設され、保護継電器６８の下方に、複数の端子台本体８０，…で構成される試験用端子台Ｔが配設されている。なお、図示していないが、前記交流入力部６７が内部に設けられている。
【０００４】
そして、保護継電器６８は、入力された電流データまたは電圧データに異常がある場合には、図６に示すように、保護継電器６８の補助接点６８ａと、後述する短絡プラグ８１によって接続された試験用端子台Ｔの一対の端子部８０１，８０１と、該試験用端子台Ｔの一対の端子部８０１，８０１に接続されたトリップコイル６６とで構成される直列回路に電流を流すことにより遮断器６２を開動作させ、負荷側電路６４の負荷側機器６５に対する接続を遮断（停電）して、負荷側機器６５を保護するように構成されている。そして、トリップコイル６６には、トリップコイル６６の焼損を防止するための補助スイッチ７１が直列接続されている。
【０００５】
試験用端子台Ｔは、図８Ａに示すように、端子台本体８０と、該端子台本体８０の端子部８０１，８０１間に電気的に接続される短絡プラグ８１と、端子部８０１，８０１および短絡プラグ８１を覆うカバー８２とを備えている。
【０００６】
端子台本体８０は、図８Ｂに示すように、導電性を有する雄ねじで構成される上下一対の端子部８０１，８０１と、絶縁性を有する一対の取付台８０２，８０２と、締結部材８０３と、第１および第２保護部材８０４，８０５とを備えている。
【０００７】
端子部８０１は、前面板（基板）Ｐの上部および下部を水平方向に貫通し、一端部８００１ａが基板Ｐの表側に突出し、他端部が基板Ｐの裏側に突出している（図示せず）。そして、一方の端子部８０１の他端部は、保護継電器６８に接続され、他方の端子部８０１の他端部は、トリップコイル６６に接続されている（図示せず）。
【０００８】
取付台８０２，８０２は、基板Ｐを挟むようにして端子部８０１，８０１の両端部から挿通されて、基板Ｐの表裏に配置されている。そして、基板Ｐの表裏に配置された取付台８０２，８０２は、凹凸嵌合により一体化されて端子部８０１，８０１を水平支持している。
【０００９】
締結部材８０３は、導電性を有する雌ねじ部と、該雌ねじ部の周面に固着された絶縁性の保護部とを有している。そして、雌ねじ部８０３ａは、端子部８０１に螺合し、短絡プラグ８１の係止部８１ａに接触して、端子部８０１，８０１と短絡プラグ８１とを電気的に接続する。
【００１０】
第１保護部材８０４は、締結部材８０３の表面側、すなわち、端子部８０１の一端部８０１ａに固着され、該一端部８０１ａを絶縁保護している。
【００１１】
第２保護部材８０５は、締結部材８０３と取付台８０２との間に位置するように端子部８０１に固着されて、基板Ｐと短絡プラグ８１の係止部８１ａとの絶縁距離を確保している。
【００１２】
そして、第１および第２保護部材８０４，８０５は、締結部材８０３の外径よりも小さくて、締結部材８０３を挟むようにして端子部８０１に固着されている。したがって、第１および第２保護部材８０４，８０５よりも大径の締結部材８０３の保護部の周縁部が、短絡プラグ８１の係止部８１ａの外側に位置することで、短絡プラグ８１の係止部８１ａに対する絶縁保護が図られている。
【００１３】
短絡プラグ８１は、その両端部に配設された係止部８１ａ，８１ａと、中央部に固着された絶縁性を有する環状の摘み部８１０とを備えている。そして、上側の係止部８１ａには、側縁部から中央に向かって係止凹部８１１が形成されている。一方、下側の係止部８１ａには、円弧状部から短絡プラグ８１の長手方向に沿って係止凹部８１１が形成されている。そして、短絡プラグ８１の両係止部８１ａ，８１ａが、締結部材８０３と第２保護部材８０５との間の端子部８０１に係止される。
【００１４】
そして、短絡プラグ８１が端子部８０１，８０１の一端部８０１ａ，８０１ａに接続されることにより、端子部８０１，８０１間が導通接続されて、保護継電器６８による監視状態となる。また、保護継電器６８を保守・点検する際には、遮断器６２が誤って動作することがないように、短絡プラグ８１が端子部８０１，８０１の一端部８０１ａ，８０１ａから取り外されて、遮断器６２が投入状態（閉状態）のまま電気的に切り離される。
【００１５】
カバー８２は、端子部８０１，８０１の一端部８０１ａ，８０１ａに短絡プラグ８１が接続されていることを確認できるように、透明な合成樹脂材で作製されている。そして、カバー８２は、絶縁性を有しており、基板Ｐから突出する端子部８０１，８０１の一端部８０１ａ，８０１ａを絶縁保護している。また、カバー８２は、長楕円形状の正面被覆部８２０と、該正面被覆部８２０の周縁部に沿うように形成される環状被覆部８２１，８２１と、正面被覆部８２０と同一形状の背面開口部８２２とを備えている。
【００１６】
正面被覆部８２０は、端子部８０１の正面、および、端子部８０１，８０１間の正面空間を覆うことができる大きさになっている。環状被覆部８２１は、端子部８０１，８０１の周面、および、端子部８０１，８０１間の側面空間を覆う大きさになっている。背面開口部８２２は、正面被覆部８２０に対向する位置に形成され、端子部８０１，８０１が挿脱できる大きさに形成されている。
【００１７】
そして、短絡プラグ８１が端子部８０１，８０１間に接続された通常時は、図８Ａに示すように、端子部８０１，８０１がカバー８２によって絶縁保護されており、感電等が防止されている。一方、保護継電器６８などの保守・点検時は、図８Ｂに示すように、カバー８２が端子部８０１，８０１から取り外されるとともに、短絡プラグ８１が端子部８０１，８０１から取り外される。
【先行技術文献】
【特許文献】
【００１８】
【特許文献１】特開２００９−３３８１６号公報
【発明の概要】
【発明が解決しようとする課題】
【００１９】
前記公報の試験用端子台Ｔの場合、保護継電器６８などの保守・点検が終了すると、短絡プラグ８１を端子部８０１，８０１間に接続することになるが、この際、端子部８０１，８０１にそれぞれ対地間電圧が生じていると、トリップコイル６６に電流が流れて、遮断器６２が誤って作動（開状態）して、負荷側電路６４が遮断されて停電してしまう場合がある。
【００２０】
そこで、本発明は、上記課題に鑑み、保護継電器などの保守・点検終了後、試験用端子台の一対の端子部を絶縁保護しつつ、該一対の端子部の対地間電圧を計測して、遮断器の誤動作による負荷側の停電を防止できる試験用端子台を提供することを目的とする。
【課題を解決するための手段】
【００２１】
本発明に係る試験用端子台は、一端部が突出するように、基板に固定される一対の導電性を有する端子部と、一対の端子部の一端部にそれぞれ螺合して、前記一端部間に短絡プラグを電気的に接続する締結部材と、前記一端部にそれぞれ固着されて、前記一端部を絶縁保護する保護部材と、前記一端部、短絡プラグ、締結部材、および保護部材を覆うカバーとを備え、前記一端部間から短絡プラグが取り外された電圧測定時において、前記一端部と、前記一端部の対地間電圧を測定する計測器のプローブとを直接的または間接的に電気的に接続するための電気接続部が設けられる一方、カバーに計測器のプローブが挿通される第１の測定用貫通孔が形成され、さらに、前記一端部間に短絡プラグが接続された通常時には、電気接続部と第１の測定用貫通孔との位置が線対称または点対称の位置関係になるように、カバーが正方向に取り付けられ、かつ、前記一端部間から短絡プラグが取り外された電圧測定時には、電気接続部と第１の測定用貫通孔との位置が一致する位置関係になるように、カバーが逆方向に取り付けられることを特徴とする。
【００２２】
また、本発明に係る試験用端子台の一態様として、前記電気接続部は、前記一端部の一部または前記締結部材の一部が露出するように、前記保護部材に形成される第２の測定用貫通孔であるような構成を採用することもできる。
【００２３】
また、本発明に係る試験用端子台の他態様として、一方の端子部の一端部は、外径が小さく、他方の端子部の一端部は、外径が大きく形成される一方、前記短絡プラグの両端部には、それぞれの前記一端部の外径の大きさに応じた内径を有する係止凹部が形成され、さらに、短絡プラグの一方の端部が幅小に形成されるとともに、他方の端部が幅大に形成されるような構成を採用することもできる。
【００２４】
また、本発明に係る試験用端子台の他態様として、前記通常時において、カバーが逆方向に取り付けられようとする場合、幅大の短絡プラグの他方の端部に当接するように、カバーの内面に凸部が形成されるような構成を採用することもできる。
【００２５】
また、本発明に係る試験用端子台の他態様として、前記第２の測定用貫通孔が雌ねじで構成される一方、該雌ねじに螺合するように、計測器のプローブが雄ねじで構成されることが好ましい。
【発明の効果】
【００２６】
本発明によれば、保護継電器の保守・点検終了後、短絡プラグを一対の端子部に接続する前に、一対の端子部の一端部をカバーで絶縁保護した状態で、一対の端子部の一端部に生じる対地間電圧を測定することができ、遮断器の誤動作による負荷側の停電を防止することができる。
【図面の簡単な説明】
【００２７】
【図１】本発明の一実施形態に係る試験用端子台の側断面図。
【図２】Ａは、短絡プラグの正面図、Ｂは、図２Ａの側面図。
【図３】Ａは、カバーの正面図、Ｂは、図３Ａの側面図。
【図４】図１の試験用端子台の使用態様を説明する図であり、Ａは、一対の端子部に短絡プラグの両端部を係止させる状態を示す正面図、Ｂは、一対の端子部に短絡プラグが接続されるとともに、カバーが正方向に取り付けられた状態を示す正面図、Ｃは、一対の端子部から短絡プラグが取り外されるとともに、カバーが逆方向に取り付けられた状態を示す正面図。
【図５】Ａは、一対の端子部に、計測器のプローブを挿入して、電圧を測定する状態を示す側断面図、Ｂは、プローブに固着された摘みを示す正面図。
【図６】保護制御装置および保護継電器装置盤を示す図。
【図７】保護継電器装置盤を示す正面図。
【図８】従来の試験用端子台を示す斜視図であり、Ａは、一対の端子部にカバーを取り付けた状態を示す図、Ｂは、一対の端子部からカバーを取り外すとともに、一対の端子部から短絡プラグを取り外した状態を示す図。
【発明を実施するための形態】
【００２８】
本発明の一実施形態に係る試験用端子台について図１〜図７を参照しながら説明する。本実施形態に係る試験用端子台は、図７に示す保護継電器装置盤Ｂなどの配電盤に配列されるものを例にとって説明する。したがって、この場合も、図６の場合と同様に、短絡プラグが一対の端子部に接続されることにより、一対の端子部間が導通接続されて、保護継電器６８による監視状態となる。また、保護継電器６８を保守・点検する際には、遮断器６２が誤って動作することがないように、短絡プラグが一対の端子部から取り外されて、遮断器６２が電気的に切り離される。すなわち、遮断器６２が投入された状態で、負荷側電路６４に電力が供給されている。
【００２９】
試験用端子台Ｔは、図１に示すように、前記保護継電器装置盤Ｂの前面板（基板Ｐ）に取り付けられた端子台本体１と、後述する第１および第２端子部１０，１１間を接続する短絡プラグ２と、端子台本体１および短絡プラグ２を覆うカバー３とを備えている。
【００３０】
端子台本体１は、図１に示すように、基板Ｐの上部を水平方向に貫通する第１端子部１０と、基板Ｐの下部を水平方向に貫通する第２端子部１１と、第１端子部１０および第２端子部１１を水平支持するための２つの取付台１０１，１１１と、基板Ｐの表側に突出する、第１端子部１０および第２端子部１１の一端部１０ａ，１１ａに螺合される締結部材１０２，１１２と、第１端子部１０および第２端子部１１の一端部１０ａ，１１ａに固着される保護部材１０３，１１３とを有している。
【００３１】
そして、基板Ｐの裏側に突出する、第１端子部１０の他端部１０ｂは、図６に示す保護継電器６８側の回路に接続され、基板Ｐの裏側に突出する、第２端子部１１の他端部１１ｂは、図６に示すトリップコイル６６に接続されている。なお、図１の状態は、取付台１０１，１１１と締結部材１０２，１１２との間に短絡プラグ２が接続されるとともに、カバー３が正方向に取り付けられている状態を示す。
【００３２】
第１端子部１０は、導電性を有する小径の雄ねじで構成され、基板Ｐを水平方向に貫通して、一端部１０ａが基板Ｐの表側に突出し、他端部１０ｂが基板Ｐの裏側に突出している。
【００３３】
第２端子部１１は、導電性を有する大径の雄ねじで構成され、第１端子部１０と同様に、基板Ｐを水平方向に貫通して、一端部１１ａが基板Ｐの表側に突出し、他端部１１ｂが基板Ｐの裏側に突出している。
【００３４】
取付台１０１ａ，１０１ｂ、１１１ａ，１１１ｂは、基板Ｐを挟むようにして、第１端子部１０および第２端子部１１の両端部１０ａ，１０ｂおよび１１ａ，１１ｂにそれぞれ螺合して、基板Ｐの表裏に配置されている。そして、基板Ｐの表側に配置された取付台１０１ａ，１１１ａは、円環状の雌ねじで構成され、一端部１０ａ，１１ａに螺合して基板Ｐの表面に圧接している。一方、基板Ｐの裏側に配置された取付台１０１ｂ，１１１ｂは、雌ねじで構成され、基板Ｐに形成された第１および第２取付孔Ｐ１，Ｐ２よりも大径の当接部１０１０ｂ，１１１０ｂと、第１および第２取付孔Ｐ１，Ｐ２よりもやや小径の挿通部１０１１ｂ、１１１１ｂとを有している。そして、第１および第２取付孔Ｐ１，Ｐ２に挿通部１０１１ｂ、１１１１ｂが挿通されるとともに、当接部１０１０ｂ，１１１０ｂが第１および第２取付孔Ｐ１，Ｐ２の開口周縁部に当接することで、第１端子部１０および第２端子部１１が、基板Ｐの表裏に配置された取付台１０１ａ，１０１ｂ、１１１ａ，１１１ｂによって水平支持されている。
【００３５】
締結部材１０２，１１２は、導電性を有する雌ねじ部１０２ａ，１１２ａと、該雌ねじ部１０２ａ，１１２ａの周面に固着された絶縁性の保護部１０２ｂ，１１２ｂとを有している。雌ねじ部１０２ａ，１１２ａは、端子部１０，１１の一端部１０ａ，１１ａに螺合し、後述する短絡プラグ２の係止部に接触して、第１および第２端子部１０，１１と短絡プラグ２とを電気的に接続する。
【００３６】
保護部材１０３，１１３は、締結部材１０２，１１２の表面側、すなわち、第１および第２端子部１０，１１の一端部１０ａ，１１ａに固着され、第１および第２端子部１０，１１の一端部１０ａ，１１ａを絶縁保護している。また、保護部材１０３，１１３には、第１および第２端子部１０，１１の一端部１０ａ，１１ａの一部、または、締結部材１０２，１１２の雌ねじ部１０２ａ，１１２ａが露出するように、電気接続部としての第２の測定用貫通孔１０３ａ，１１３ａが前記一端部１０ａ，１１ａの軸方向に沿って形成されている。
【００３７】
短絡プラグ２は、図２Ａ，Ｂに示すように、上端部に配置された幅小の上係止部２０と、下端部に配置された幅大の下係止部２１と、中央部に固着された絶縁性を有する摘み部２２とを有している。そして、上係止部２０には、小径の第１端子部１０の一端部１０ａに係止するための上係止凹部２００が、一方の側縁部から他方の側縁部に向かって形成されている。下係止部２１には、大径の第２端子部１１の一端部１１ａに係止するための下係止凹部２１０が、上係止凹部２００と同一方向に形成されている。また、摘み部２２は、幅小部２２ａと、幅広部２２ｂとを備えている。そして、短絡プラグ２が第１および第２端子部１０，１１に接続された状態で、カバー３が正方向に取り付けられた場合、図１および図４Ｂに示すように、カバー３の第３凸部６が短絡プラグ２の摘み部２２の幅小部２２ａの両側に位置して、カバー３が着脱することができる。一方、短絡プラグ２が第１および第２端子部１０，１１に接続された状態で、カバー３が逆方向に取り付けられようとした場合、図５Ａに示すように、カバー３の第３凸部６が短絡プラグ２の下係止部２１に当接して、カバー３の逆方向の取り付けが防止されるようになっている。
【００３８】
カバー３は、第１および第２端子部１０，１１の一端部１０ａ，１１ａに短絡プラグ２が接続されていることを確認できるように、透明な合成樹脂材で作製されている。そして、カバー３は、絶縁性を有しており、図１に示すように、基板Ｐから突出する第１および第２端子部１０，１１の一端部１０ａ，１１ａを絶縁保護している。また、カバー３は、図３Ａ，Ｂに示すように、長楕円形状の正面被覆部３ａと、該正面被覆部３ａの周縁部に沿うように形成される環状被覆部３ｂと、正面被覆部３ａと同一形状の背面開口部３ｃとを備えている。
【００３９】
正面被覆部３ａは、第１および第２端子部１０，１１の保護部材１０３，１１３の正面、および、保護部材１０３，１１３間の正面空間を覆うことができる大きさになっている（図１参照）。また、正面被覆部３ａには、上部及び下部に第１の測定用貫通孔３０が形成されている。また、正面被覆部３ａには、その中央部に表示板３５が貼着されている。この表示板３５には、カバー３の取付方向を示す矢印が表示されている。そして、図４Ｂに示すように、矢印の向きが上向きである場合は、カバー３が正方向に取り付けられ、図４Ｃに示すように、下向きである場合は、カバー３が逆方向に取り付けられる。
【００４０】
そして、カバー３の第１の測定用貫通孔３０と、保護部材１０３，１１３の第２の測定用貫通孔１０３ａ，１１３ａとは、カバー３が正方向に取り付けられた場合、図４Ｂに示すように、カバー３の中心に対して点対称の位置関係にあり、カバー３が逆方向に取り付けられた場合、図４Ｃに示すように、一致する位置関係にある。
【００４１】
環状被覆部３ｂは、第１および第２端子部１０，１１の一端部１０ａ，１１ａの外周を覆う上下の円弧状部３０ｂ，３０ｂと、第１および第２端子部１０，１１の一端部１０ａ，１１ａ間の側面空間を覆う左右の平坦部３１ｂ，３１ｂとを備えている。また、背面開口部３ｃ側の環状被覆部３ｂの内面に、第１〜第３凸部４〜６が形成されている。第１凸部４は、環状被覆部３ｂの上側の円弧状部３０ｂに沿って形成されている（図３Ｂ参照）。そして、第１凸部４は、図１に示すように、カバー３が正方向に取り付けられた場合、基板Ｐの表側に配置される第１端子部１０の取付台１０１ａに当接する。第２凸部５は、環状被覆部３ｂの下側の円弧状部３０ｂに沿って形成されている。そして、第２凸部５は、図５Ａに示すように、カバー３が逆方向に取り付けられた場合、基板Ｐの表側に配置される第１端子部１０の取付台１０１ａに当接する。第３凸部６は、環状被覆部３ｂの平坦部３１ｂに水平方向に沿って形成されている。そして、第３凸部６は、図１および図４Ｂに示すように、カバー３が正方向に取り付けられた場合、短絡プラグ２の摘み部２２の幅小部２２ａの両側に位置する。一方、第３凸部６は、短絡プラグ２が取り付けられた状態で、カバー３が逆方向に取り付けられようとした場合、短絡プラグ２の幅大の下係止部２１に当接し、カバー３の逆方向の取り付けを防止する（図示せず）。
【００４２】
背面開口部３ｃは、正面被覆部３ａに対向する位置に形成され、第１および第２端子部１０，１１の一端部１０ａ，１１ａが挿脱できる大きさに形成されている。
【００４３】
ここで、第１及び第２端子部１０，１１の対地間電圧を測定する計測器（電圧計）５０の構成につき、図５Ａを参照して簡単に説明する。計測器５０は、正面中央部に配置されるメータ５１と、正面上部に配置される接続端子５２と、プローブ５３とを備えている。そして、プローブ５３の一端部５３ａは、計測器５０の接続端子５２に接続されている。一方、プローブ５３の他端部５３ｂは、第２の測定用貫通孔１０３ａ，１１３ａに螺合する雄ねじで構成されている。そして、図５Ｂに示すように、プローブ５３の他端部５３ｂは、雄ねじを緩緊しやすいように等間隔に３つの突片５３ｃ，…が形成されている。そして、３つの突片５３ｃ，…が互いに隣り合う３つの空間に、人差し指、中指、親指を位置させて、雄ねじを操作して、第１および第２端子部１０，１１に対して着脱できるようにしている。
【００４４】
つぎに使用態様について図４Ａ〜Ｃおよび図５Ａ，Ｂを参照して説明する。まず、図４Ａに示すように、端子台本体１の第１および第２端子部１０，１１に短絡プラグ２が接続される通常時は、第１および第２端子部１０，１１と短絡プラグ２とが、正方向に取り付けられたカバー３によって覆われている（図４Ｂ参照）。この場合、カバー３の第１の測定用貫通孔３０と、保護部材１０３，１１３の電気接続部としての第２の測定用貫通孔１０３ａ，１１３ａとが、線対称または点対称の位置関係になり、第１および第２端子部１０，１１の対地間電圧を測定することができない。
【００４５】
つぎに、第１および第２端子部１０，１１から短絡プラグ２が取り外される電圧測定時は、図４Ｃに示すように、カバー３が逆方向に取り付けられる。この場合、カバー３の第１の測定用貫通孔３０と、保護部材１０３，１１３の第２の測定用貫通孔１０３ａ，１０３ａとが一致する位置関係になり、第１および第２端子部１０，１１の対地間電圧を測定することができる。
【００４６】
そして、図５Ａに示すように、カバー３の上側の第１の測定用貫通孔３０、保護部材１０３の上側の第２の測定用貫通孔１０３ａに、計測器５０のプローブ５３が挿通されて、第１端子部１０の一端部１０ａの端面とプローブ５３の端面とが接触される。そうすると、第１端子部１０とプローブ５３とが電気的に接続されて、第１端子部１０の対地間電圧を測定できる。一方、カバー３の下側の第１の測定用貫通孔３０、保護部材１１３の下側の第２の測定用貫通孔１１３ａに、計測器５０のプローブ５３が挿通されて、第２端子部１１の一端部１１ａの端面とプローブ５３の端面とが接触される。そうすると、第２端子部１１とプローブ５３とが電気的に接続されて、第２端子部１１の対地間電圧を測定できる。第１および第２端子部１０，１１の対地間電圧を確認後、第１および第２端子部１０，１１に短絡プラグ２を接続する（図４Ａ参照）。
【００４７】
また、前記通常時において、カバー３が逆方向に取り付けられようとする場合、カバー３の内面に形成された第３凸部６が、幅大の短絡プラグ２の下係止部２１に当接するようになるので、前記通常時におけるカバー３の逆方向の取り付けが防止される。すなわち、カバー３は、通常時においては正方向のみに取り付けられる。
【００４８】
したがって、図６に示す保護継電器６８の保守・点検終了後、短絡プラグ２を第１および第２端子部１０，１１に接続する前に、第１および第２端子部１０，１１の一端部１０ａ，１１ａをカバー３で絶縁保護した状態で、第１および第２端子部１０，１１の一端部１０ａ，１１ａに生じる対地間電圧を測定することができ、図６に示す遮断器６２の誤動作による負荷側の停電を防止することができる。
【００４９】
以上、本発明に係る試験用端子台Ｔは、一端部１０ａ，１１ａが突出するように、基板Ｐに固定される一対の導電性を有する端子部１０，１１と、一対の端子部１０，１１の一端部１０ａ，１１ａにそれぞれ螺合して、前記一端部１０ａ，１１ａ間に短絡プラグ２を電気的に接続する締結部材１０２，１１２と、前記一端部１０ａ，１１ａにそれぞれ固着されて、前記一端部１０ａ，１１ａを絶縁保護する保護部材１０３，１１３と、前記一端部１０ａ，１１ａ、短絡プラグ２、締結部材１０２，１１２、および保護部材１０３，１１３を覆うカバー３とを備え、前記一端部１０ａ，１１ａ間から短絡プラグ２が取り外された電圧測定時において、前記一端部１０ａ，１１ａと、前記一端部１０ａ，１１ａの対地間電圧を測定する計測器５０のプローブ５３とを直接的または間接的に電気的に接続するための電気接続部１０３ａ，１１３ａが設けられる一方、カバー３に計測器５０のプローブ５３が挿通される第１の測定用貫通孔３０，３０が形成され、さらに、前記一端部１０ａ，１１ａ間に短絡プラグ２が接続された通常時には、電気接続部１０３ａ，１１３ａと第１の測定用貫通孔３０，３０との位置が線対称または点対称の位置関係になるように、カバー３が正方向に取り付けられ、かつ、前記一端部１０ａ，１１ａ間から短絡プラグ２が取り外された電圧測定時には、電気接続部１０３ａ，１１３ａと第１の測定用貫通孔３０，３０との位置が一致する位置関係になるように、カバー３が逆方向に取り付けられることを特徴とする。これにより、正方向にカバー３が取り付けられた、一対の端子部１０ａ，１１ａの一端部１０ａ，１１ａ間に短絡プラグ２が接続された通常時の場合は、第１の測定用貫通孔３０，３０と電気接続部１０３ａ，１１３ａとの位置が異なる位置にあるため、前記一端部１０ａ，１１ａ、短絡プラグ２、および、締結部材１０２，１１２がカバー３によって覆われ、前記一端部１０ａ，１１ａの対地間電圧を測定できない状態になる。
【００５０】
一方、前記通常時とは逆方向にカバー３が取り付けられた、前記一端部１０ａ，１１ａ間から短絡プラグ２が取り外された電圧測定時の場合は、電気接続部１０３ａ，１１３ａと第１の測定用貫通孔３０，３０との位置が一致するため、前記一端部１０ａ，１１ａ、短絡プラグ２、および、締結部材１０２，１１２がカバー３によって絶縁保護された状態で、前記一端部１０ａ，１１ａの対地間電圧を測定できるようになる。すなわち、計測器５０のプローブ５３と前記一端部１０ａ，１１ａとが直接的または間接的に電気的に導通接続され、前記一端部１０ａ，１１ａの対地間電圧を、容易にかつ安全に測定できるようになる。
【００５１】
また、本実施形態に係る試験用端子台Ｔによれば、前記電気接続部１０３ａ，１１３ａは、前記一端部１０ａ，１１ａの一部または前記締結部材１０２，１１２の一部が露出するように、前記保護部材１０３，１１３に形成される第２の測定用貫通孔である。これにより、カバー３が正方向に取り付けられた場合は、カバー３の第１の測定用貫通孔３０，３０と、保護部材１０３，１１３の第２の測定用貫通孔１０３ａ，１１３ａとが異なる位置関係（線対称または点対称の位置関係）にあるので、前記一端部１０ａ，１１ａの対地間電圧を測定できない状態になる。一方、カバー３が逆方向に取り付けられた場合は、カバー３の第１の測定用貫通孔３０，３０と、保護部材１０３，１１３の第２の測定用貫通孔１０３ａ，１１３ａとが連通する位置関係（一致する位置関係）にあるので、第２の測定用貫通孔１０３ａ，１１３ａに露出する前記一端部１０ａ，１１ａの一部または締結部材１０２，１１２の一部に、計測器５０のプローブ５３が電気的に接続できるようになる。すなわち、前記一端部１０ａ，１１ａに計測器５０のプローブ５３が直接的または間接的に電気的に接続されることで、前記一端部１０ａ，１１ａの対地間電圧を容易にかつ安全に測定することができるようになる。
【００５２】
また、本実施形態に係る試験用端子台Ｔによれば、一方の端子部１０の一端部１０ａは、外径が小さく、他方の端子部１１の一端部１１ａは、外径が大きくなるように形成される一方、前記短絡プラグ２の両端部には、それぞれの前記一端部１０ａ，１１ａの外径の大きさに応じた内径を有する係止凹部２００，２１０が形成され、さらに、短絡プラグ２の一方の端部が幅小に形成されるとともに、他方の端部が幅大に形成される。これにより、一対の端子部１０，１１に接続される短絡プラグ２の方向が一方向に決定されるようになり、一対の端子部１０，１１に短絡プラグ２が接続された際に、短絡プラグ２の幅小の一方の端部と、幅大の他方の端部との位置が決定される。
【００５３】
また、本実施形態に係る試験用端子台Ｔによれば、前記通常時において、カバー３が逆方向に取り付けられようとする場合、幅大の短絡プラグ２の他方の端部に当接するように、カバー３の内面に凸部６が形成される。これにより、前記通常時におけるカバー３の逆方向の取り付けを防止することができる。すなわち、カバー３は、通常時においては正方向のみに取り付けられる。
【００５４】
また、本実施形態に係る試験用端子台Ｔによれば、前記第２の測定用貫通孔１０３ａ，１１３ａが雌ねじで構成される一方、該雌ねじに螺合するように、計測器５０のプローブ５３が雄ねじで構成される。これにより、計測器５０のプローブ５３と一対の端子部１０，１１との電気的接続を、雄ねじと雌ねじとのねじ合わせによって接続するようにしたので、接触不良を防止できて、一対の端子部１０，１１の対地間電圧を確実に測定できるようになる。
【００５５】
また、本発明に係る試験用端子台Ｔは、前記実施形態に限定することなく種々変更することができる。
【００５６】
例えば、前記実施形態の場合、電気接続部として、保護部材１０３，１１３に形成される測定用貫通孔１０３ａ，１１３ａとしたが、電気接続部としては、第１および第２端子部１０，１１に螺合する締結部材１０２，１１２であってもよく、第１および第２端子部１０，１１の一端部１０ａ，１１ａそのものであってもよい。要は、端子部１０，１１に間接的または直接的に電気的に接続できる構成であればよい。
【００５７】
また、前記実施形態の場合、保護部材１０３，１１３に形成される測定用貫通孔１０３ａ，１１３ａを、計測器５０のプローブ５３が挿通される単なる孔としたが、測定用貫通孔１０３ａ，１１３ａに導電性を有する雌ねじを内設するようにしてもよい。この場合、測定用貫通孔１０３ａ，１１３ａの雌ねじに螺合するように、プローブ５３を雄ねじに形成する必要がある。そうすることで、第１および第２端子部１０，１１とプローブ５３とが、確実に電気的に接続されるようになる。
【００５８】
また、前記実施形態の場合、保護部材１０３，１１３に対して、偏心した位置に電気接続部としての第２の測定用貫通孔１０３ａ，１１３ａを形成したが、中心位置に形成してもよい。但し、第２の測定用貫通孔１０３ａ，１１３ａの位置応じて、第１の測定用貫通孔３０，３０の位置を変更するとともに、カバー３の大きさを変更する必要がある。
【００５９】
また、前記実施形態の場合、保護継電器装置盤Ｂに配置される第１および第２端子部１０，１１を電気的に接続する場合を例にとって説明したが、制御盤に配置される端子台の一対の端子部の対地間電圧を測定する場合にも適用できる。
【符号の説明】
【００６０】
１…端子台本体、２…短絡プラグ、３…カバー、６…凸部、１０，１１…端子部、１０ａ，１１ａ…一端部、１０２，１１２…締結部材、１０３，１１３…保護部材、１０３ａ，１１３ａ…電気接続部（第２の測定用貫通孔）、２０，２１…係止部、３０…第１の測定用貫通孔、５０…計測器、５３…プローブ、Ｐ…基板、Ｔ…試験用端子台
【図１】
2014033574.tif 000003
【図２】
2014033574.tif 000004
【図３】
2014033574.tif 000005
【図４】
2014033574.tif 000006
【図５】
2014033574.tif 000007
【図６】
2014033574.tif 000008
【図７】
2014033574.tif 000009
【図８】
2014033574.tif 000010